(57)【特許請求の範囲】
【請求項１】
情報を記録するトラックとなる案内溝と該案内溝間に予め設けられたプリピットとを有する光情報記録媒体に対して光を照射する光ピックアップと、
前記トラックの幅方向に分割された少なくとも２つの受光領域を有し、前記光情報記録媒体で反射された光を受光する受光手段と、
該受光手段の前記２つの受光領域から出力される信号の差を検出する差検出回路と、
該差検出回路から出力される信号のピーク値を検出して出力する第１のピーク値検出回路と、
前記差検出回路から出力される信号から前記案内溝のウォブルに基づく信号を抽出するフィルタ回路と、
該フィルタ回路から出力される信号のピーク値を検出して出力する第２のピーク値検出回路と、
前記第１のピーク値検出回路の出力値と前記第２のピーク値検出回路の出力値との差を所定の割合で分圧して出力する差動分圧回路と、
前記差検出回路の出力と前記差動分圧回路の出力とを比較して、前記プリピットに関する情報を出力するコンパレータと、
からなることを特徴とするプリピット情報検出装置。
【請求項２】
請求項１記載のプリピット情報検出装置において、前記フィルタ回路は前記光情報記録媒体に形成された前記案内溝のウォブルに応じて検出されるウォブル信号の周波数を中心周波数とする帯域通過フィルタであることを特徴とするプリピット情報検出装置。
【請求項３】
請求項１又は２記載のプリピット情報検出装置を備え、該プリピット情報検出装置によって検出したプリピット情報に基づいて、光情報記録媒体上の光スポット位置のアドレスを検出するようにしたことを特徴とする光情報記録装置。
【請求項４】
情報を記録するトラックとなる案内溝と該案内溝間に予め設けられたプリピットとを有する光情報記録媒体に対して光を照射する光ピックアップと、
前記トラックの幅方向に分割された少なくとも２つの受光領域を有し、前記光情報記録媒体で反射された光を受光する受光手段と、
該受光手段の前記２つの受光領域から出力される信号の差を検出する差検出回路と、
該差検出回路から出力される差信号のピーク電圧を検出して出力する第１の電圧検出回路と、
前記差信号から前記プリピットの検出成分を除去するフィルタ回路と、
該フィルタ回路から出力される信号のピーク電圧もしくは平均電圧を検出して出力する第２の電圧検出回路と、
前記第１の電圧検出回路の出力電圧と前記第２の電圧検出回路の出力電圧との差を所定の比率で分圧する差動分圧回路と、
前記差信号を前記差動分圧回路の出力電圧と比較して、前記プリピットに関する情報を出力するコンパレータと、
からなることを特徴とするプリピット情報検出装置。
【請求項５】
請求項４記載のプリピット情報検出装置において、前記フィルタ回路は前記光情報記録媒体に形成された前記案内溝のウォブルに応じて検出されるウォブル信号の周波数を中心周波数とする帯域通過フィルタであることを特徴とするプリピット情報検出装置。
【請求項６】
請求項４又は５記載のプリピット情報検出装置を備え、該プリピット情報検出装置によって検出したプリピット情報に基づいて、光情報記録媒体上の光スポット位置のアドレスを検出するようにしたことを特徴とする光情報記録装置。
【請求項７】
請求項６記載の光情報記録装置において、前記第１の電圧検出回路と前記第２の電圧検出回路の少なくとも一方は、最大振幅電圧を保持する最大振幅保持回路により構成され、その保持電圧の変化率として複数の設定値を選択する変化率選択手段を設けていることを特徴とする光情報記録装置。
【請求項８】
請求項７記載の光情報記録装置において、少なくとも前記第１の電圧検出回路が前記最大振幅保持回路により構成され、前記変化率選択手段は、前記光情報記録媒体を回転させたたときの前記トラックの線速度が速いほど前記変化率の設定値を大きくすることを特徴とする光情報記録装置。
【請求項９】
請求項６乃至８のいずれか一項に記載の光情報記録装置において、前記第１の電圧検出回路と前記第２の電圧検出回路の少なくとも一方は、検出電圧を所望のタイミングでリセットするリセット手段を設けていることを特徴とする光情報記録装置。
【請求項１０】
請求項９記載の光情報記録装置において、光情報記録媒体の装着を認識する手段を備え、該手段が前記光情報記録媒体の装着を認識する度に、前記リセット手段が前記検出電圧をリセットするようにしたことを特徴とする光情報記録装置。
【請求項１１】
請求項６乃至１０のいずれか一項に記載の光情報記録装置において、複数の電圧を設定して出力可能なＤ／Ａコンバータ回路と、前記差信号と比較するために前記コンパレータへ入力する比較信号として前記差動分圧回路の出力電圧と前記Ｄ／Ａコンバータ回路の出力電圧のいずれかを選択する選択手段とを設けたことを特徴とする光情報記録装置。
【請求項１２】
請求項６乃至１０のいずれか一項に記載の光情報記録装置において、複数の電圧を設定して出力可能なＤ／Ａコンバータ回路と、前記第２の電圧検出回路の出力電圧の他に前記差動分圧回路へ入力させる電圧として、前記第１の電圧検出回路の出力電圧と前記Ｄ／Ａコンバータ回路の出力電圧のいずれかを選択する選択手段とを設けたことを特徴とする光情報記録装置。
【請求項１３】
請求項１１記載の光情報記録装置において、前記選択手段は、前記光情報記録媒体上の所定位置へシークする際には、所定の電圧に設定した前記Ｄ／Ａコンバータ回路の出力電圧を選択し、シーク完了後には前記差動分圧回路の出力電圧を選択することを特徴とする光情報記録装置。
【請求項１４】
請求項１２記載の光情報記録装置において、前記選択手段は、前記光情報記録媒体上の所定位置へシークする際には、所定の電圧に設定した前記Ｄ／Ａコンバータ回路の出力電圧を選択し、シーク完了後には前記第２の電圧検出回路の出力電圧を選択することを特徴とする光情報記録装置。
【請求項１５】
請求項１１記載の光情報記録装置において、前記光情報記録媒体上の所定位置へシーク中は、少なくとも前記第１の電圧検出回路の検出電圧をリセットし、シーク完了後には該リセットを解除する手段を設け、
該手段が前記リセットを解除してから所定時間経過後に、前記選択手段が前記差動分圧回路の出力電圧を選択するようにしたことを特徴とする光情報記録装置。
【請求項１６】
請求項１２記載の光情報記録装置において、前記光情報記録媒体上の所定位置へシーク中は、少なくとも前記第１の電圧検出回路の検出電圧をリセットし、シーク完了後には該リセットを解除する手段を設け、
該手段が前記リセットを解除してから所定時間経過後に、前記選択手段が前記第１の電圧検出回路の出力電圧を選択するようにしたことを特徴とする光情報記録装置。
【発明の詳細な説明】
【技術分野】
【０００１】
この発明は、情報を記録するトラックを形成する案内溝とその案内溝間に予め設けられたプリピットとを有する光情報記録媒体から、プリピットに関する情報を検出するプリピット情報検出装置、およびそのプリピット情報検出装置を備えた光情報記録装置に関する。
【背景技術】
【０００２】
近年、光情報記録媒体として普及している記録型光ディスクであるデジタル・バーサタイル・ディスク（ＤＶＤ）の種類のうちで、ＤＶＤ−ＲやＤＶＤ−ＲＷ（以下、総称して「ＤＶＤ−Ｒ／ＲＷ」ともいう）においては、ディスク製造時に各半径位置での線速度を正確に検出するために、情報を記録するトラックとなる案内溝を蛇行させるウォブリングが施されている。この場合、ＣＬＶ（線速度一定）回転制御を行ったときにウォブル周波数が一定になるようなフォーマットが採用されている。よって、このような光ディスクを使用する光ディスク装置では、この案内溝のウォブルに基づく信号（「ウォブル信号」という）を検出して、光ディスクの回転制御を行ったり、記録用クロックを生成したりしている。
【０００３】
他にも例えば、コンパクトディスクのＣＤ−ＲやＣＤ−ＲＷでは、このウォブル信号にＡＴＩＰと呼ばれるアドレス（時間）情報を周波数変調により持たせたり、他のＤＶＤであるＤＶＤ＋ＲやＤＶＤ＋ＲＷでは、位相変調方式によってウォブル信号にＡＤＩＰというアドレス情報を記録している。
【０００４】
しかし、前述したＤＶＤ−Ｒ／ＲＷの場合には、ウォブル信号にはディスク面内の位置情報を含んでおらず、その代りに２つのトラック（案内溝）の間のガイド用トラック（ランド）にアドレス情報を含むプリピットが形成されている。ウォブル信号は一定周期で発生する比較的振幅の小さい信号であるが、プリピット（ＬＰＰ：Ｌａｎｄ  Ｐｒｅ−Ｐｉｔ）信号は間欠的に発生する比較的振幅の大きい信号であり、基本的に両者は分離可能である。
【０００５】
プリピット信号は、光ピックアップの少なくとも２つの受光領域を有する受光素子によって検出されるプッシュプル信号に基づく信号を、所定のスライスレベルで２値化することによって得られる。しかし、プリピット信号の最大振幅値は光ディスク装置の対物レンズの光軸ずれ、ディスクの傾き(チルト)、ディスク面内の反射率変化等により変動する。
そのため、スライスレベルを固定してプリピット信号を含むプッシュプル信号を２値化すると、プリピット信号を誤検出する可能性がある。特に、ディスク面内の記録済み領域では、記録データであるＲＦ信号からのクロストークノイズのためにプリピット信号を誤検出しやすくなることから、スライスレベルをより適切に設定することが重要となる。
【０００６】
そこで従来では、スライスレベルを適切に設定する方法として、次のような方法が提案されている。
例えば、特許文献１には、プリピット信号の最大振幅値を検出して、それを分圧することによってスライスレベルを設定するプリピット信号検出回路が開示されている。
【特許文献１】特開２０００−２０７７４４号公報
【発明の開示】
【発明が解決しようとする課題】
【０００７】
しかしながら、このような従来の方法では誤検出の原因となるウォブル信号そのものを検出しておらず、スライスレベルを設定する際にウォブル信号との比較をしていないため、誤検出する可能性を残してしまう問題がある。
【０００８】
この発明は、このような問題を解決するためになされたものであり、光情報記録媒体に設けられているプリピットに関する情報（プリピット信号）を、ウォブル信号などのノイズの影響を排して、安定して適切に検出できるようにすること、およびそれによって、光情報記録装置が光情報記録媒体上の所望のトラックに確実にアクセスできるようにすることを目的とする。
【課題を解決するための手段】
【０００９】
この発明は上記の目的を達成するため、次のように構成したプリピット情報検出装置を提供する。
すなわち、情報を記録するトラックとなる案内溝と該案内溝間に予め設けられたプリピットとを有する光情報記録媒体に対して光を照射する光ピックアップと、上記トラックの幅方向に分割された少なくとも２つの受光領域を有し、光情報記録媒体で反射された光を受光する受光手段と、その受光手段の２つの受光領域から出力される信号の差を検出する差検出回路とを備える。
【００１０】
さらに、その差検出回路から出力される信号のピーク値を検出して出力する第１のピーク値検出回路と、上記差検出回路から出力される信号から上記案内溝のウォブルに基づく信号を抽出するフィルタ回路と、そのフィルタ回路から出力される信号のピーク値を検出して出力する第２のピーク値検出回路と、上記第１のピーク値検出回路の出力値と第２のピーク値検出回路の出力値との差を所定の割合で分圧して出力する差動分圧回路と、上記差検出回路の出力と差動分圧回路の出力とを比較して、プリピットに関する情報を出力するコンパレータを設けている。
【００１１】
上記フィルタ回路は、光情報記録媒体に形成された案内溝のウォブルに応じて検出されるウォブル信号の周波数を中心周波数とする帯域通過フィルタであることが望ましい。
そして、このプリピット情報検出装置を備え、そのプリピット情報検出装置によって検出したプリピット情報に基づいて、光情報記録媒体上の光スポット位置のアドレスを検出するようにした光情報記録装置も提供する。
【００１２】
この発明によるプリピット情報検出装置は、上記プリピット情報検出装置の構成を一部変更して、上記差検出回路から出力される差信号のピーク電圧を検出して出力する第１の電圧検出回路と、上記差信号からプリピットの検出成分を除去するフィルタ回路と、そのフィルタ回路から出力される信号のピーク電圧もしくは平均電圧を検出して出力する第２の電圧検出回路と、上記第１の電圧検出回路の出力電圧と第２の電圧検出回路の出力電圧との差を所定の比率で分圧する差動分圧回路と、上記差信号を上記差動分圧回路の出力電圧と比較してプリピットに関する情報を出力するコンパレータとを設けるようにしてもよい。
【００１３】
この場合の上記フィルタ回路も、光情報記録媒体に形成された案内溝のウォブルに応じて検出されるウォブル信号の周波数を中心周波数とする帯域通過フィルタであることが望ましい。
さらに、このプリピット情報検出装置を備え、そのプリピット情報検出装置によって検出したプリピット情報に基づいて光情報記録媒体上の光スポット位置のアドレスを検出するようにした光情報記録装置も提供する。
【００１４】
その光情報記録装置において、上記第１の電圧検出回路と第２の電圧検出回路の少なくとも一方は、最大振幅電圧を保持する最大振幅保持回路によって構成し、その保持電圧の変化率として複数の設定値を選択する変化率選択手段を設けるとよい。
さらに、少なくとも上記第１の電圧検出回路が前記最大振幅保持回路により構成し、上記変化率選択手段は、光情報記録媒体を回転させたたときのトラックの線速度が速いほど上記変化率の設定値を大きくするとよい。
【００１５】
また、上記第１の電圧検出回路と第２の電圧検出回路の少なくとも一方には、検出電圧を所望のタイミングでリセットするリセット手段を設けるとよい。
さらに、光情報記録媒体の装着を認識する手段を備え、該手段が光情報記録媒体の装着を認識する度に、上記リセット手段が検出電圧をリセットするようにしてもよい。
【００１６】
さらにまた。複数の電圧を設定して出力可能なＤ／Ａコンバータ回路と、上記差信号と比較するために上記コンパレータへ入力する比較信号として上記差動分圧回路の出力電圧と上記Ｄ／Ａコンバータ回路の出力電圧のいずれかを選択する選択手段とを設けることもできる。
上記選択手段は、光情報記録媒体上の所定位置へシークする際には、所定の電圧に設定した上記Ｄ／Ａコンバータ回路の出力電圧を選択し、シーク完了後には上記差動分圧回路の出力電圧を選択するようにするとよい。
【００１７】
あるいは、複数の電圧を設定して出力可能なＤ／Ａコンバータ回路と、上記第２の電圧検出回路の出力電圧の他に上記差動分圧回路へ入力させる電圧として、上記第１の電圧検出回路の出力電圧と上記Ｄ／Ａコンバータ回路の出力電圧のいずれかを選択する選択手段とを設けてもよい。
その場合には、上記選択手段は、光情報記録媒体上の所定位置へシークする際には、所定の電圧に設定した上記Ｄ／Ａコンバータ回路の出力電圧を選択し、シーク完了後には上記第２の電圧検出回路の出力電圧を選択するようにするとよい。
【００１８】
さらに、光情報記録媒体上の所定位置へシーク中は、少なくとも上記第１の電圧検出回路の検出電圧をリセットし、シーク完了後には該リセットを解除する手段を設け、該手段がリセットを解除してから所定時間経過後に、上記選択手段が上記差動分圧回路の出力電圧を選択するようにするとよい。
あるいは、上記光情報記録媒体上の所定位置へシーク中は、少なくとも上記第１の電圧検出回路の検出電圧をリセットし、シーク完了後には該リセットを解除する手段を設け、該手段が記リセットを解除してから所定時間経過後に、上記選択手段が上記第１の電圧検出回路の出力電圧を選択するようにしてもよい。
【発明の効果】
【００１９】
この発明によるプリピット情報検出装置は、分割受光素子からの各出力の差信号を得ることでＲＦ信号によるクロストークノイズを低減することができ、またその差信号からプリピット信号の最大振幅電圧およびプリピット信号を除いたその他のノイズの最大振幅電圧をそれぞれ検出することにより、それらの振幅変動に応じた最適なスライスレベルを設定することができるため、適切に安定したプリピット信号を検出ができる。
また、そのプリピット信号を用いて、光情報記録媒体の所望のトラックへ正確にアクセスすることができる。
【発明を実施するための最良の形態】
【００２０】
以下、この発明を実施するための最良の形態を図面に基づいて具体的に説明する。
〔各実施例に共通の構成〕
図１は、この発明によるプリピット情報検出装置を備えた光情報記録装置の実施例である光ディスク装置の構成を示すブロック図である。図２はその光ディスク装置に用いられる光情報記録媒体である光ディスクのディスク面を拡大して各トラックの構成を示す図であり、図３は図１に示す光ディスク装置における光ピックアップの受光素子とその出力信号検出部の構成例を示す図である。
【００２１】
図１に示す光ディスク装置１は、光ディスク２としてＤＶＤ−Ｒ／ＲＷを使用して、その光ディスク２に情報を記録／再生するＤＶＤ−Ｒ／ＲＷドライブ装置であり、光ピックアップ３、再生回路４、デコーダ５、マイクロコンピュータ（図ではＣＰＵ）６、エンコーダ７、レーザ制御回路８、演算回路９、サーボ回路１０、クロック生成回路１１、ウォブル検出回路１２、プリピット（ＬＰＰ）検出回路１３、アドレスデコーダ１４、および光ディスク２回転させるモータを備えている。
【００２２】
マイクロコンピュータ（以下「ＣＰＵ」と略称する）６は、中央処理装置とプログラムメモリであるＲＯＭおよびデータメモリであるＲＡＭ等からなり、この光ディスク装置１の各部を統括制御する。
光ピックアップ３は、半導体レーザ等のレーザ光源と、そのレーザ光源が発するレーザ光を集光して光ディスク２にスポット光を照射するとともに、光ディスクからの反射光を分離するための、コリメータレンズと集光レンズおよびビームスプリッタ等からなる光学系と、その反射光を受光して電気信号（再生信号）に変換する受光手段である受光素子等によって構成されている。この光ピックアップ３は、図示を省略しているトラッキング用モータと直線送り機構によって、光ディスク２の径方向に移動可能である。
【００２３】
この光ディスク装置１において、情報記録時には、記録すべき情報が外部のホスト装置からＣＰＵ６を介してエンコーダ７に送られ、エンコーダ７はデータフォーマットを変換し、レーザ制御回路８が情報ビットに応じてピックアップ３に搭載されたレーザ光源の発光制御を行うことにより、記録用のスポット光による光ディスク２上への記録動作が行われる。
再生時には、光ピックアップ３は、光ディスク２上にレーザ光による再生用のスポット光を照射し、その反射光を受光素子で検出し、再生回路４がその検出された再生信号に対してフィルタリングとデジタル化を行なう。そして、デコーダ５がこの再生回路４で生成されたデータのフォーマットを変換し、ＣＰＵ６がその再生情報を図示しない外部のホスト装置へ送る。
【００２４】
光ピックアップ３に設けられた受光素子は後述するように、光ディスク２のトラックの幅方向に２分割された構成となっており、その受光素子の２つの受光領域によってそれぞれ検出される２つの信号から、演算回路９によってサーボ信号を生成し、サーボ回路１０がこのサーボ信号に従って前述したトラッキング用モータを駆動制御して、光ピックアップ３のトラッキング位置の制御を行なう。またサーボ回路１０は、クロック生成回路１１から出力されるクロック信号に基づいて、光ディスク２を回転させるモータ１５の回転制御も行なう。
【００２５】
また、受光素子の２つの受光領域によってそれぞれ検出される各信号は、演算回路９によって演算されてウォブル検出回路１２とプリピット検出回路１３に送られる。そして、ウォブル検出回路１２によって検出さるたウォブルクロックに基づいて、クロック生成回路１１が光ディスク２の回転に追従した正確なクロック信号を生成する。
また、プリピット検出回路１３は、演算回路９の出力信号から物理アドレス情報を含むプリピット信号を検出し、アドレスデコーダ１４がそれをアドレス情報に変換し、そのときの光ピックアップ３による光ディスク２のアクセス位置のアドレス情報を得る。
【００２６】
ここで、光ディスク２上のトラック構成などについて図２によって説明する。
ＤＶＤ−Ｒ／ＲＷなどの光ディスク２上には、図２に示すように、グルーブ１６と呼ばれる案内溝が蛇行（ウォブル）しながら螺旋上に刻まれており、このグルーブ１６によって情報が記録される各周ごとのトラック１７を構成している。ＤＶＤ−Ｒの場合には、グルーブ１６上に光ピックアップ３のトラッキング制御を行い、光スポットＳｐによって、一定の線速度でデータの記録および再生を行う。隣接するグルーブ１６同士の間の部分はランド１８と呼ばれており、このランド１８上には予め光ディスク２の位置情報等を表すためのプリピットＬＰＰがディスク製造段階から記録されている。
【００２７】
ピックアップ３に設けられた受光手段である受光素子は、図３に示す受光素子２６のように、トラックの接線方向に沿う分割線Ｌｄによってトラックの幅方向に分割された少なくとも２つ受光領域２６ａ，２６ｂを有しており、それは２個の受光素子によって構成されている。そして、その各受光領域２６ａ、２６ｂによって、光ディスク２上に照射された光スポットＳｐの反射光による光スポットＳｐ′を半分ずつ受光して、それぞれ電気信号に変換する。そこで、図２に示したグルーブ１６のウォブル（蛇行）情報を検出するための最も簡易なウォブル信号演算としては、この図３に示すように、オペアンプＯＰ０による減算器によって、各受光領域２６ａ，２６ｂからの出力信号ＡとＢの差（Ａ−Ｂ）を演算する方法がとられている。
【００２８】
また、図２に示したプリピットＬＰＰは、トラック１７の中心に対してディスク外周側に記録されているものを参照するので、未記録ディスクであれば外周側の受光領域２６ｂのみがそれを検出するので、それによってプリピットの検出を行える。しかし、光ディスク２にデータを記録した後では、受光領域２６ｂのみから検出した場合、トラック１７上から検出されるデータの高周波（ＲＦ）信号成分がノイズとなり、プリピットを正しく検出できない。
そこで、ウォブル情報を検出する場合と同様に、２つの受光領域２６ａ，２６ｂからの出力信号ＡとＢの差（Ａ−Ｂ）を求めることによって、ＲＦ信号成分を除去してプリピット信号を検出するのが一般的である。
【００２９】
図４は、ＤＶＤ−Ｒ／ＲＷの場合のウォブル信号とプリピット信号を説明するための図である。この例では、検出するプリピット信号ＳＬＰＰは、ウォブル信号ＳＷｂの正極性側に破線で示すように正のパルス状に現れるものとする。しかし、プリピット信号ＳＬＰＰが、ウォブル信号ＳＷｂの負極性側に負のパルス状に現れる場合もある。
ＤＶＤのチャンネルビット（基準線速度で２６．１５６２５ＭＨｚ）の周期をＴＣとすると、ウォブル信号周期ＴＷは１８６ＴＣ（基準速度で約１４０ｋＨｚ）、１シンクフレームは８ウォブルである。
【００３０】
ＤＶＤデータの１セクタは２６シンクフレームから構成されるが、それぞれセクタの先頭フレームからＥＶＥＮ（偶数）フレーム、ＯＤＤ（奇数）フレームと順に呼ぶとすると、プリピットＬＰＰはＥＶＥＮフレームもしくはＯＤＤフレームのどちらかに記録されている。基本的にプリピットＬＰＰはＥＶＥＮフレームの先頭３ウォブルそれぞれのピーク位置に記録されているが、内周側に記録されたプリピットＬＰＰと干渉してしまう恐れのある箇所についてはＯＤＤフレームに記録されており、それはセクタ毎に異なる。また、プリピット信号ＳＬＰＰは２フレーム毎に１ｂｉｔを構成しており、シンク（Ｓｙｎｃ）１ｂｉｔ＋データ（記録情報）１２ｂｉｔが１セクタ毎に記録されている。
【００３１】
図５は、図１に示したウォブル検出回路１２とプリピット検出回路１３の関係を概略的に示すブロック図である。
光ピックアップ３の受光素子２６における各受光領域２６ａ、２６ｂからの出力信号Ａ、Ｂに対し、それぞれＡＧＣ（Auto Gain Control）回路１９を用いて振幅を一定にする。
出力信号ＡとＢの出力振幅の差は受光領域２６ａ、２６ｂの受光素子の出力のばらつき、光ディスク２の偏心や面ぶれ、光ピックアップ３のレンズ位置変化等により発生するが、ＡＧＣ回路１９により振幅を一定にすることによって、オペアンプＯＰ０による減算器を通したときに効率よく同相のＲＦ信号成分を除去したプッシュプル信号Ｐｓを得ることができる。そして、このプッシュプル信号Ｐｓはウォブル検出回路１２とプリピット検出回路１３にそれぞれ入力される。
【００３２】
ウォブル検出回路１２は、ウォブル信号抽出回路２１と、オペアンプによるウォブルコンパレータ２２を備えており、プッシュプル信号Ｐｓをウォブル信号抽出回路２１へ入力することによってウォブル信号Ｗｂの成分を抽出し、このウォブル信号Ｗｂをウォブルコンパレータ２２により２値化することによってウォブルクロックＣＬｗを出力する。
図１に示したクロック生成回路１１では、内部ＰＬＬ回路によりこのウォブルクロックＣＬｗに基づいて、エンコーダ７に対するクロックの生成と、サーボ回路１０に対するクロックの生成を行ない、光ディスク２上に一定の線速度でデータを記録させる。
【００３３】
また、所望のディスク位置で記録を開始するためには位置情報が必要であり、プリピットＬＰＰにはそのためのアドレス情報が記録されている。
プリピット検出回路１３は、プッシュプル信号Ｐｓ中でウォブル信号ＳＷｂに重畳されているプリピット信号ＳＬＰＰの成分を、適正なスライスレベルで２値化することによってプリピット信号ＳＬＰＰを検出する回路であり、スライスレベル設定回路２４と、オペアンプで構成されるプリピットコンパレータ（コンパレータ回路）２５を備えている。この発明による光ディスク２装置は、このプリピット検出回路１３におけるスライスレベルの設定に特徴を有している。
【００３４】
〔第１実施例〕
図６は、この発明によるプリピット情報検出装置の第１実施例の構成を示すブロック図である。この図を参照しつつこの実施例によるプリピット信号とウォブル信号の検出処理を詳細に説明する。
図６において、ピックアップ３の２つの受光領域２６ａ、２６ｂからの各出力信号Ａ、Ｂが演算回路９によりプッシュプル信号Ｐｓとして出力され、このプッシュプル信号Ｐｓを入力したプリピット検出回路１３は、ＣＰＵ６に制御されてプリピット信号ＳＬＰＰを検出してアドレスデコーダ１４へ出力し、また、にプッシュプル信号Ｐｓを入力したウォブル検出回路１２は、ウォブルクロックＣＬｗを生成してクロック生成回路１１へ出力する。
【００３５】
受光領域が２等分に分割された受光手段である受光素子２６は、各受光領域２６ａ，２６ｂでそれぞれ受光した光量に基づいて電流を発生させる。その各電流による出力信号Ａ，Ｂは、演算回路９内の２つの電流電圧変換器２７（Ｉ／Ｖ変換器）にそれぞれ個別に入力して電圧信号に変換される。各受光領域２６ａ，２６ｂからの出力信号Ａ，Ｂはまた、図１に示したサーボ回路１０にも入力される。なお、受光素子２６は２分割されている構成に限られず、トラックに沿う方向にも分割されて４分割されていたり、あるいはそれ以上に分割されていてもよい。
【００３６】
出力信号Ａ，Ｂが変換された電圧信号は、それぞれ個別のＡＧＣ回路１９によって振幅が一定にされ、その各信号が差検出回路であるオペアンプＯＰ０による減算器に入力されて、差信号であるプッシュプル信号Ｐｓが得られる。このプッシュプル信号Ｐｓは、ハイパスフィルタ（ＨＰＦ）回路２９により直流成分を除去された後、演算回路９から出力され、その後に２つの経路に別れてプリピット検出回路１３とウォブル検出回路１２へそれぞれ入力される。
【００３７】
プリピット検出回路１３に入力されたプッシュプル信号Ｐｓは、プリピット検出回路１３内のプリピットコンパレータ２５と、プリピットピーク値検出回路（図中では「プリピットＰ／Ｈ回路」）３０と、ウォブル検出回路１２と兼用のフィルタ回路である帯域通過フィルタ（ＢＰＦ）回路３１にそれぞれ入力される。
プリピットピーク値検出回路３０は、第１のピーク値検出回路および第１の電圧検出回路であり、連続アナログ信号として入力されたプッシュプル信号Ｐｓのピーク値、つまり正極性側の最大振幅電圧を検出して保持する。この検出されたピーク値は、図７に示すようにプリピット信号ＳＬＰＰ成分のピーク値と一致する値である。なお、プリピット信号ＳＬＰＰが逆極性（負極側）のパルスとして発生する場合には、プリピットピーク値検出回路３０に入力する前に反転回路などで信号の極性を反転させておけばよい。ＣＰＵ６からの制御も含めた、このプリピットピーク値検出回路３０の具体的構成例については、後に詳述する。
【００３８】
またフィルタ回路としての帯域通過フィルタ回路（以下「ＢＰＦ回路」と略称する）３１は、プッシュプル信号Ｐｓに対してウォブル信号周波数を中心周波数とする帯域通過フィルタであり、入力されるプッシュプル信号Ｐｓからプリピット信号ＳＬＰＰの成分を除去して、ウォブル信号ＳＷｂの成分を抽出する。
このウォブル信号ＳＷｂはウォブルピーク値検出回路（ウォブルＰ／Ｈ回路）３２に入力する。このウォブルピーク値検出回路は、第２のピーク値検出回路および第２の電圧検出回路であり、連続アナログ信号であるウォブル信号ＳＷｂのピーク値（正極性側の最大振幅電圧）を検出して保持する。このウォブル信号ＳＷｂのピーク値は、図７に示すようにプリピット信号ＳＬＰＰのボトム値すなわちウォブル信号Ｗｂから突出しているプリピット信号ＳＬＰＰのうちの最低値と一致する値である。このウォブルピーク値検出回路３２についても、具体的構成例を後に詳述する。
【００３９】
そして、このプリピットピーク値検出回路３０に保持されたプリピット信号ＳＬＰＰのピーク値と、ウォブルピーク値検出回路３２に保持されたウォブル信号ＳＷｂのピーク値とを、差動分圧回路である分圧器３３の両端に入力させて、その差を所定の割合で分圧し、その分圧された出力電圧をスライスレベルとしてプリピットコンパレータ２５に入力する。これにより、スライスレベルは図７に破線で示すように、ウォブル信号ＳＷｂから突出しているプリピット信号ＳＬＰＰの部分の最高値と最低値の間に設定されることになる。
その結果、プリピットコンパレータ２５はウォブル信号Ｗｂに影響されることなく、かつプリピット信号ＳＬＰＰの最大振幅が多少変動した場合でも、安定してプッシュプル信号Ｐｓを二値化して、プリピット信号ＳＬＰＰ（図７に示すコンパレータ出力）を出力することができる。この第１実施例では、上記プリピットピーク値検出回路３０、ＢＰＦ回路３１、ウォブルピーク値検出回路３２、および分圧器３３が、図５に示したスライスレベル設定回路２４を構成している。
【００４０】
なお、ＢＰＦ回路３１から出力されるウォブル信号ＳＷｂの位相がずれない（遅れない）場合には、プリピット信号ＳＬＰＰのボトム値とウォブル信号ＳＷｂのピーク値が同じタイミングで現れる。すなわち、プリピット信号ＳＬＰＰが検出されるタイミングとウォブル信号ＳＷｂのピーク値が検出されるタイミングとが一致するため、ピーク値を保持するウォブルピーク値検出回路３２を設けなくとも、上記と同様にスライスレベルを設定することができる。
【００４１】
また、ウォブルピーク値検出回路３２の代りに、ＢＰＦ回路３１から出力されるウォブル信号ＳＷｂの平均電圧を検出して保持する平均電圧検出回路を設けてもよい。この場合には、プリピットピーク値検出回路３０に保持されたプリピット信号ＳＬＰＰのピーク値と、平均電圧検出回路から出力される平均電圧とを、差動分圧回路である分圧器３３の両端に入力させて、その差を所定の割合で分圧し、その分圧された出力電圧をスライスレベルとしてプリピットコンパレータ２５に入力する。
このようにすると、ディスク面の偏心又はレンズ位置変化等の影響によりプリピット信号ＳＬＰＰの最大振幅が変化した場合でも、適切なスライスレベルを設定してプリピット信号ＳＬＰＰを検出することができる。
【００４２】
一方、ウォブル検出回路１２は、プッシュプル信号Ｐｓがプリピット検出回路のフィルタ回路と兼用のＢＰＦ回路３１によってプリピット信号ＳＬＰＰの成分が除去され、ウォブル信号ＳＷｂの成分が抽出される。このＢＰＦ回路３１はウォブル検出回路１２で独自に設けていてもよい。そして、その抽出されたウォブル信号ＳＷｂの成分は、ハイパスフィルタ（ＨＰＦ）回路３４により高い精度でて直流成分を除去されてウォブル信号ＳＷｂとなり、さらにウォブルコンパレータ２２で基準電圧Ｖrefと比較されてウォブルクロックを生成し、クロック生成回路１１へ出力される。
この実施例では、このＢＰＦ回路３１およびハイパスフィルタ回路３４が、図５に示したウォブル信号抽出回路２１を構成している。
【００４３】
この図６に示す構成によれば、プリピット信号ＳＬＰＰとウォブルクロックを安定して検出することができる。
ここで、プリピットピーク値検出回路３０およびウォブルピーク値検出回路３２の具体的構成例について詳述する。図９は、その具体的構成例を示す回路図である。この回路構成は、プリピットピーク値検出回路３０もウォブルピーク値検出回路３２も同じなので、この説明では単にピーク値検出回路３０，３２という。
【００４４】
このピーク値検出回路３０，３２は、入力の最大振幅電圧をコンデンサに保持する最大振幅保持回路（ピークホールド回路）を構成しており、コンデンサに電荷を充電する速度とその電荷を放電する速度を個別に設計するものであるが、一般的にはそれらが相関関係を持ってしまうことが多い。つまり、保持電圧の放電による変化率（ドループレートという）を下げて、できるだけそのホールド時間が長く取れるようにすると、どうしてもある程度充電する速度も遅くなってしまう。
【００４５】
ＤＶＤ−Ｒ／ＲＷのプリピット信号の場合は、フレームの先頭から３ウォブル目までで１ｂｉｔ分をなすが、次の１ｂｉｔ分が来るまでの間隔は概ね２フレームであり、これはおよそ３０００ＴＣ（ＴＣはＤＶＤのチャンネルビットの周期）に相当する。それに対し、プリピット信号のパルス幅は数ＴＣ程度（ＤＶＤ−Ｒ／ＲＷの規格では半値幅が１ＴＣ以上）であるため、プリピット信号成分のピークホールドを実現するためには、高速な充電速度と遅い放電速度という相反する要求がある。
【００４６】
さらに、光ディスクへの記録速度を高速化させていくためには、より短いプリピット信号に対して、正確にそのピークレベルを検出できる回路が求められる。したがって、プリピット信号に対するピーク値検出回路では、充電時間を短くするため充電速度をより速くしなければならないが、次のプリピット信号までの時間間隔は短くなるので、その分だけ変化率（ドループレート）を大きくすることはできる。
そこで、この実施例ではピーク値検出回路３０，３２の少なくとも一方（プリピットピーク値検出回路３０）は、図８に破線で示すように複数のドループレートを設定できるようにし、そのドループレートを記録速度が高速になるほど大きく設定するようにする。
【００４７】
また、これらピーク値検出回路３０，３２には、それぞれピークレベルをリセットする機能を持たせている。これは、プリピット信号の振幅が光ディスクの個体別で異なるものであって、またプリピットピーク値検出回路３０のドループレートがかなり小さく設定され、プリピット信号のピークレベルを長い時間保持するようになっているため、光ディスクをが交換されたときに、その検出電圧をリセットして適切に設定し直せるようにするためである。
【００４８】
図９に示すピーク値検出回路は、これらの機能を果たすよう構成されたものであり、３つのコンデンサＣ１、Ｃ２、Ｃ３と、２つのオペアンプ増幅器ＯＰ１、ＯＰ２と、整流用ダイオードＤと、４つの抵抗Ｒ１〜Ｒ４と、４つのスイッチＳＷ１〜ＳＷ４を備えている。これらによって、入力および出力インピーダンスを変換する２つのボルテージホロワ回路と、整流用ダイオードＤとホールド用コンデンサＣ３による充電回路、および抵抗Ｒ１〜Ｒ４とスイッチＳＷ１〜ＳＷ４による放電回路とその変化率（ドループレート）設定手段及びリセット手段を構成している。
【００４９】
このピーク値検出回路において、入力信号（プッシュプル信号Ｐｓまたはウォブル信号ＳＷｂ）は、オペアンプＯＰ１で構成される１段目のボルテージホロワに入力され、その出力電圧が整流用ダイオードＤを介してホールド用コンデンサＣ３を充電する。そのコンデンサＣ３に溜まった電荷は、抵抗Ｒ１〜Ｒ４およびスイッチＳＷ１〜ＳＷ４がすべて存在しない場合は、オペアンプＯＰ２に流れ込むこともなく、ダイオードＤを逆流することもなく、溜まったままの状態を保つ。これによりコンデンサＣ３は入力電圧のピーク電圧を保持することになる。
【００５０】
しかし、実際にはコンデンサＣ３に並列に抵抗Ｒ１〜Ｒ４の直列回路と、その各抵抗に並列に接続したスイッチＳＷ１〜ＳＷ４による放電回路が設けられており、コンデンサＣ３に溜まった電荷はその放電回路によって放電されることになり、このコンデンサＣ３の放電速度（ドループレート）は、コンデンサＣ３の容量と抵抗Ｒ１〜Ｒ４のうちのスイッチＳＷ１〜ＳＷ４によって短絡されていない抵抗の合成抵抗値との積による放電時定数が小さいほど大きくなり、速く放電されることになる。したがって、変化率選択手段であるスイッチＳＷ１〜ＳＷ４の開閉数を変えることにより、合成抵抗値を増減させてドループレートを変更することができる。
【００５１】
具体的な操作例として、記録速度（図１における光ディスク２と光ピックアップ３との相対速度）が遅い場合には、ＣＰＵ６の指令によりスイッチＳＷ１〜ＳＷ４の全てを開いて、合成抵抗値Ｒを、抵抗Ｒ１〜Ｒ４の各抵抗値の和（Ｒ１＋Ｒ２＋Ｒ３＋Ｒ４）とする。そして、記録速度が増加するにつれてスイッチを一つずつ順に閉じていき、例えばスイッチＳＷ１だけを閉じた場合には、抵抗Ｒ１は通らずに抵抗値がゼロのスイッチＳＷ１を通して放電されるので、コンデンサＣ３の容量と合成抵抗値Ｒ＝Ｒ２＋Ｒ３＋Ｒ４との積に応じたドループレートとなる。さらに記録速度が増加した場合には、ＣＰＵ６はさらにスイッチを閉じて合成抵抗値Ｒを、Ｒ＝Ｒ３＋Ｒ４、Ｒ＝Ｒ４のように小さくする。このように、記録線速度が速くなるほど放電時定数を小さくして、ドループレートを大きく設定し、放電を早めるようにした。
【００５２】
この結果、より正確にプリピット信号やウォブル信号のピークレベルを検出することができるようになる。またＣＰＵ６が全てのスイッチＳＷ１〜ＳＷ４を閉じた場合には、ホールド用コンデンサＣ３の両端子間を短絡することになるため、コンデンサＣ３に充電されている電荷は一瞬で放電され、ピーク値の保持電圧がリセットされることになる。
したがって、この実施例におけるスイッチＳＷ１〜ＳＷ４は、保持電圧の変化率として複数の設定値を選択する変化率選択手段と、検出電圧を所望のタイミングでリセットするリセット手段とを兼ねている。
このリセット動作は所望のタイミングで行うことができるが、光情報記録媒体である光ディスクの交換時に、光ディスク装置は光ディスクの装着を認識する手段を備えているので、それが光ディスクの装着を認識する度に、自動的にリセット動作を行なうようにすることもできる。
【００５３】
なお、スイッチＳＷ１〜ＳＷ４の構成としては、機械的な接点スイッチに限らず、フォトＭＯＳリレーなどの半導体スイッチを使用してもよく、そうすれば制御を容易にすることができる。また、この回路例では抵抗値が固定の抵抗器を複数設けたが、ＣＰＵ６の指令に従って抵抗値が可変する可変抵抗を使用して放電時間を制御し、変化率の選択を行うようしてもよい。また、複数の抵抗の代わりにあるいは複数の抵抗とともに、複数のコンデンサを並列接続して設け、スイッチの開閉により電荷を蓄積させるコンデンサの数（合成容量）を増減させて、ドループレートを変更するようにしてもよい。すなわち、ホールド用コンデンサの容量と放電回路の抵抗値の少なくとも一方が可変であればよい。
【００５４】
〔第２実施例〕
次に、この発明によるプリビット情報検出装置の２実施例について説明する。図１０はその第６図と同様な回路図であり、図６と対応する部分には同一の符号を付してある。
この実施例で前述の第１実施例と相違するのは、プリピット検出回路１３のみであるから、その相違点のみを説明する。
すなわち、プリピット検出回路１３の内部に、複数の直流電圧を設定して出力可能なＤ／Ａコンバータ回路（ＤＡＣ）４１と、図１に示したＣＰＵ６によって制御される選択手段であるセレクトスイッチ４２とを備えている。
【００５５】
そして、ＣＰＵ６がセレクトスイッチ４２を切り替え制御することによって、分圧器３３の出力電圧とＤ／Ａコンバータ回路４１の出力電圧のいずれかを、比較信号すなわちスライスレベルの信号として選択して、差信号であるプッシュプル信号Ｐｓと比較するためにコンパレータ２５へ入力させることができる。
したがって、セレクトスイッチ４２をＤ／Ａコンバータ回路４１側に切り替えると、スライスレベルを固定的に設定することができる。それにより、光ピックアップのシーク時や高速記録時等において、プリピット信号のピーク値検出が正常に行えない場合でも、スライスレベルの設定およびプリピット信号ＳＬＰＰの検出を安定して行うことが可能になる。
その他の構成および機能は前述の第１実施例と同じであるから、その説明は省略する。
【００５６】
〔第３実施例〕
次に、この発明によるプリビット情報検出装置の３実施例について説明する。図１１はその第６図と同様な回路図であり、図６と対応する部分には同一の符号を付してある。
この実施例でも前述の第１実施例と相違するのは、プリピット検出回路１３のみであるから、その相違点のみを説明する。
すなわち、プリピット検出回路１３の内部に、複数の直流電圧を設定して出力可能なＤ／Ａコンバータ回路（ＤＡＣ）４３と、図１に示したＣＰＵ６によって制御される選択手段であるセレクトスイッチ４４とを備えている。
【００５７】
そして、ＣＰＵ６がセレクトスイッチ４４を切り替え制御することによって、プリビットピーク値検出回路３０の出力電圧と、Ｄ／Ａコンバータ回路４３の出力電圧のいずれかを選択して、一端にウォブルピーク値検出回路３２の出力電圧が入力される分圧器３３の他端にに入力させることができる。
したがって、セレクトスイッチ４４をＤ／Ａコンバータ回路４３側に切り替えると、分圧器３３はＤ／Ａコンバータ回路４３の出力電圧と、ウォブルピーク値検出回路３２の出力電圧との差を分圧して、その分圧電圧を比較信号すなわちスライスレベルの信号として、差信号であるプッシュプル信号Ｐｓと比較するためにコンパレータ２５へ入力させることになる。
【００５８】
この場合は、ウォブル信号ＳＷｂ成分の振幅変動に応じてスライスレベルを設定することができる。それにより、光ピックアップのシーク時や高速記録時等において、プリピット信号ＳＬＰＰのピーク値検出が正常に行えない場合でも、スライスレベルの設定およびプリピット信号ＳＬＰＰの検出を安定して行うことが可能になる。さらに、前述した第２実施例と比較して、ウォブル信号ＳＷｂ成分の振幅に比例してスライスレベルを変化させることができるので、より安定したプリピット信号ＳＬＰＰの検出が可能になる。ここでさらに、ウォブルピーク値検出回路３２の出力電圧をある固定電圧に設定できるようにしてもよい。
その他の構成および機能は前述の第１実施例と同じであるから、その説明は省略する。
【００５９】
〔フローチャートによる動作説明〕
次に、上述した第２実施例又は第３実施例のプリピット情報検出装置を備えた光ディスク装置におけるシーク動作時の処理について説明する。図１２乃至図１５は各実施例によるシーク動作を実行する処理内容を示すフローチャートであり、それぞれが各実施例で基本的なシーク動作処理およびさらにリセット動作を加えたシーク動作処理の流れを示す。
なお、これらのフローチャートに示す処理は、図１に示したＣＰＵ６が内部のメモリに格納されたプログラムに従って処理する手順を示している。また、これらのフローチャートでは、各処理のステップをＳと記している。
まず図１２によって、図１０に示した第２実施例のプリピット情報検出装置を備えた光ディスク装置における基本的なシーク動作処理について説明する。
この処理を開始すると、まずステップ１０１でホスト装置等からシーク命令（シーク目標のアドレス等を含む）を受信した後、ステップ１０２へ進んで、図１０に示したセレクトスイッチ４２をＤ／Ａコンバータ回路（ＤＡＣ）４１側へ切り替えて、スライスレベルを固定レベルに設定する。
【００６０】
次に、ステップ１０３へ進んで、現在の光スポットが存在するアドレス及び目標アドレスから光ピックアップ３内の対物レンズの移動量、すなわち光ピックアップ３の移動量を算出し、ステップ１０４でその算出した移動量に基づいてシーク動作を行うように図１におけるサーボ回路１０に指令を出す。サーボ回路１０がその指令を受けて、トラッキング用モータを含むシーク機構を駆動させることにより、光ピックアップ３を光ディスク２の径方向へ指示された移動量だけ移動させてシーク動作を行う。
このシーク動作によって目標アドレス付近に光スポットが近づいたと判断すると、ステップ１０５に進んでプリピット信号の検出を行う。このときのプリピット信号の検出は、Ｄ／Ａコンバータ回路（ＤＡＣ）４１の出力電圧をスライスレベルとしてなされることになる。
【００６１】
その後、ステップ１０６で、検出されたプリピット信号によるアドレス情報が目標アドレスか否かを判断し、目標アドレスでない場合にはステップ１０３に戻ってステップ１０６までの動作を、目標アドレスが検出されるまで繰り返し行う。
ステップ１０６で目標アドレスであると判断すると、ステップ１０７でセレクトスイッチ４２を分圧器３３側へ切り替えて、分圧器３３による分圧電圧をスライスレベルとして、以後のプリピット信号を検出するようにして処理を終了する。
【００６２】
以上のように、光ディスク２上の任意の目標アドレスへ、光ピックアッブ３を移動させるシーク動作を行うときには、セレクトスイッチ４２をＤ／Ａコンバータ回路（ＤＡＣ）４１側へ切り替え、シーク完了後には分圧器３３側へ切り替えるて、それぞれスライスレベルを設定する。
通常、シーク動作中には、光スポットＳｐがトラック１７に対して直交する方向に移動するため、どうしてもプッシュプル信号Ｐｓが乱れてしまい、その影響によりプリピットピーク値検出回路３０が不適切なレベルを検出し、適切なスライスレベルを設定できない。しかし、この実施例によれば、このようなシーク動作中はスライスレベルを適切な固定レベルに設定することができ、適切なプリピット信号を検出することができ、安定したアクセスが可能になる。
【００６３】
次に、図１１に示した第３実施例のプリピット情報検出装置を備えた光ディスク装置における基本的なシーク動作処理について、図１３によって説明する。
この図１３のフローチャートにおいて、前述した図１２のフローチャートと異なるのはステップ１０２′と１０７′だけである。ステップ１０２′では、図１１示したセレクトスイッチ４４をＤ／Ａコンバータ回路（ＤＡＣ）４３側へ切り替え、Ｄ／Ａコンバータ回路（ＤＡＣ）４３の出力電圧とウオブルピーク値検出回路３２の出力電圧との差を、分圧器３３で分圧した電圧をスライスレベルとして設定する。
また、ステップ１０７′では、セレクトスイッチ４４をプリピットピーク値検出回路３０側へ切り替え、プリピットピーク値検出回路３０の出力電圧とウオブルピーク値検出回路３２の出力電圧との差を、分圧器３３で分圧した電圧をスライスレベルとして設定する。
その他のステップの処理は、図１２で説明した各ステップと同じであるから、その説明は省略する。この場合の効果については、図１１の説明の最後に述べたとうりである。
【００６４】
次に、図１２によって説明したシーク動作時の処理に、さらにリセット動作を加えた処理を図１４に示すフローチャートによって説明する。なお、図１４において、図１２に示した各ステップと同じ処理を行なうステップには同一のステップ番号を付している。また、図１４におけるステップ１０２ａ及びステップ１０７ｃは、図１２におけるステップ１０２及びステップ１０７と同じであるので、これらの各ステップの説明は省略する。
ここで、図１２によって説明した処理と相違するのは、ステップ１０２ａでセレクトスイッチ４２をＤ／Ａコンバータ回路４１側へ切り替えた後、ステップ１０２ｂでプリピットピーク値検出回路３０をリセット状態にする。このときウォブルピーク値検出回路３２もリセット状態にするとよい。すなわち、図９に示した回路を用いた場合には、スイッチＳＷ１〜ＳＷ４を全て閉じる（オンにする）ことによって、コンデンサＣ３の両端子間を短絡し、コンデンサＣ３が保持している電荷を瞬時に放電させて、ピーク値電圧をリセットする。
【００６５】
そしてこのリセット状態を維持したまま、ステップ１０３〜ステップ１０６のループ処理で目標アドレスが検出されるまでシーク動作を行い、ステップ１０６で目標アドレスが検出された場合には、ステップ１０７ａに進んで記録速度（図１における光ディスク２と光ピックアップ３の相対速度）に応じて、図９に示したスイッチＳＷ１〜ＳＷ４を選択的に開き（オフにし）、リセット状態を解除すると同時に保持電圧の変化率（ドループレート）を選択する。
これによって、プリピットピーク値検出回路３０およびウォブルピーク値検出回路３２の各コンデンサＣ３は、新たなピーク値電圧を検出保持できる状態となる。
そして、ステップ１０７ｂで所定時間待機し、その間にコンデンサＣ３に電荷が蓄積されて新たなピーク値電圧が検出保持されると、ステップ１０７ｃでセレクトスイッチ４２を分圧器３３側へ切り替えて、Ｄ／Ａコンバータ回路４１の使用を中止し、この処理を終了する。
【００６６】
このように、シーク動作中は少なくともプリピットピーク値検出回路３０をリセット状態に維持し、あるいはウォブルピーク値検出回路３２もリセット状態に維持すると、次のような利点がある。
通常、シーク動作中は前述した理由からピーク値検出回路３０，３２に不適切に高いピーク値電圧が検出保持されてしまうことがある。そのため、そのままではセレクトスイッチ４２を切り替えてスライスレベルを再設定しようとしても、正常なプッシュプル信号Ｐｓではそのピーク値を超えられずに異常ピーク値が保持されたままとなり、適切なスライスレベルが設定できず、プリピット信号が検出できなくなる恐れがある。
これに対し、上記処理のような手順でリセット動作を行った場合には、シーク動作時に検出される乱れた信号により、少なくともプリピットピーク値検出回路３０が異常なレベルを保持してしまうことを防ぎ、適切なプリピット検出およびそれによる安定したアクセスが可能となる。
【００６７】
次に、図１３によって説明したシーク動作時の処理に、さらにリセット動作を加えた処理を図１５に示すフローチャートに示す。なお、図１５において、図１３および図１４に示した各ステップと同じ処理を行なうステップには同一のステップ番号を付している。また、図１５におけるステップ１０２ａ′及びステップ１０７ｃ′は、図１３におけるステップ１０２′及びステップ１０７′と同じであるので、このフローチャートによる処理の説明は省略する。
【００６８】
なお、図６に示した第１実施例のプリピット情報検出装置を備えた光ディスク装置においても、そのプリピットピーク値検出回路３０およびウォブルピーク値検出回路３２として、図９に示したピーク値検出回路を使用していれば、図１４および図１５に示したフローチャートにおけるステップ１２ｂでのプリピットピーク値検出回路３０をリセット状態にし、あるいは同時にウォブルピーク値検出回路３２もリセット状態にする処理を行なうことができる。
また、ステップ１０７ａでの少なくともプリピットピーク値検出回路３０のリセット状態を解除すると共に保持電圧の変化率（ドループレート）を選択し、あるいは同時にウォブルピーク値検出回路３２もリセット状態を解除して保持電圧の変化率を選択する処理も行なうことができる。
【産業上の利用可能性】
【００６９】
この発明は、アドレス情報を含むプリピットが形成された各種光ディスクなどの光情報記録媒体に情報を記録（または記録再生）する各種光ディスク装置等の光情報記録装置に適そしてすることができる。それによって、安定して適切なプリピット情報を検出することができ、光情報記録媒体の所望のトラックに正確にアクセスすることができる。
【図面の簡単な説明】
【００７０】
【図１】この発明によるプリピット情報検出装置を備えた光情報記録装置の実施例である光ディスク装置の構成を示すブロック図である。
【図２】その光ディスク装置に用いられる光情報記録媒体である光ディスクのディスク面を拡大して各トラックの構成を示す図である。
【図３】図１に示す光ディスク装置における光ピックアップの受光素子とその出力信号検出部の構成例を示す図である。
【図４】ＤＶＤ−Ｒ／ＲＷの場合のウォブル信号とプリピット信号の構成を説明する図である。
【図５】図１に示したウォブル検出回路１２とプリピット検出回路１３の関係を概略的に示すブロック図である。
【００７１】
【図６】この発明によるプリピット情報検出装置の第１実施例の構成を示すブロック図である。
【図７】図６に示した回路におけるプッシュプル信号のウォブル信号成分とプリピット信号成分およびスライスレベルと、コンパレータ出力の関係を示す波形図である。
【図８】ピーク置検出回路における複数の変化率（ドループレート）の違いを示す波形図である。
【図９】図６におけるプリピットピーク値検出回路３０およびウォブルピーク値検出回路３２の具体的構成例示す回路図である。
【図１０】この発明によるプリピット情報検出装置の第２実施例の構成を示す図６と同様なブロック図である。
【００７２】
【図１１】この発明によるプリピット情報検出装置の第３実施例の構成を示す図６と同様なブロック図である。
【図１２】図１０に示したプリピット情報検出装置を備えた光ディスク装置における基本的なシーク動作処理を示すフロー図である。
【図１３】図１１に示したプリピット情報検出装置を備えた光ディスク装置における基本的なシーク動作処理を示すフロー図である。
【図１４】図１０に示したプリピット情報検出装置を備えた光ディスク装置におけるリセット動作を加えたシーク動作処理を示すフロー図である。
【図１５】図１１に示したプリピット情報検出装置を備えた光ディスク装置におけるリセット動作を加えたシーク動作処理を示すフロー図である。
【符号の説明】
【００７３】
１：光ディスク装置（光情報記録装置）    ２：光ディスク（光情報記録媒体）    ３：ピックアップ    ４：再生回路    ５：デコーダ    ６：マイクロコンピュータ（ＣＰＵ）    ７：エンコーダ    ８：レーザ制御回路    ９：演算回路    １０：サーボ回路    １１：クロック生成回路    １２：ウォブル検出回路    １３：プリピット検出回路    １４：アドレスデコーダ    １５：モータ    １６：グルーブ    １７：トラック    １８：ランド    １９：ＡＧＣ回路    ２１：ウォブル信号抽出回路    ２２：ウォブルコンパレータ    ２４：スライスレベル設定回路    ２５：プリピットコンパレータ（コンパレータ）    ２６：受光素子（受光手段）    ２６ａ、２６ｂ：受光領域    ２７：Ｉ／Ｖ変換回路    ２９：ハイパスフィルタ（ＨＰＦ）回路    ３０：プリピットピーク値検出回路（第１のピーク値検出回路、第１の電圧検出回路）    ３１：帯域通過フィルタ（ＢＰＦ）回路（フィルタ回路）    ３２：ウォブルピーク値検出回路（第２のピーク値検出回路、第２の電圧検出回路）    ３３：分圧器（差動分圧回路）    ４１，４３：Ｄ／Ａコンバータ回路（ＤＡＣ）    ４２，４４：セレクトスイッチ    ＯＰ０:オペアンプによる減算器（差検出回路）    ＬＰＰ：プリピット    ＳＬＰＰ：プリピット信号    ＳＷｂ：ウォブル信号    Ｐｓ：プッシュプル信号    ＯＰ１，ＯＰ２：オペアンプ（ボルテージホロワ）    Ｃ３：ホールド用コンデンサ    Ｒ１〜Ｒ４：放電用抵抗    ＳＷ１〜ＳＷ４：スイッチ（リセット手段兼変化率選択手段）
【図１】
0003696867.tif 000002
【図２】
0003696867.tif 000003
【図３】
0003696867.tif 000004
【図４】
0003696867.tif 000005
【図５】
0003696867.tif 000006
【図６】
0003696867.tif 000007
【図７】
0003696867.tif 000008
【図８】
0003696867.tif 000009
【図９】
0003696867.tif 000010
【図１０】
0003696867.tif 000011
【図１１】
0003696867.tif 000012
【図１２】
0003696867.tif 000013
【図１３】
0003696867.tif 000014
【図１４】
0003696867.tif 000015
【図１５】
0003696867.tif 000016